(57)【要約】  【課題】ＩＣカードによる授受装置と、その他の処理装置とを別配置することで、既存の自動販売機にＩＣカードによる授受装置のみを追加し、汎用性を広げる。  【解決手段】外扉に露出して金額情報が記録されたＩＣカード４による金銭授受を行う受付部５を備えた自動販売機１において、受付部５はＩＣカード４と通信する通信部７を有し、通信部７によって通信された金額情報はＩＣカードリーダライタ１２で記録再生処理され、その他の紙幣認識装置９と別体化して配置されるので汎用性を広げることができる。【選択図】図２
2007188204.tif 000002
【特許請求の範囲】
【請求項１】
外扉に露出して金額情報が記録されたＩＣカードをかざすことで金銭授受を行う受付部と、投入される紙幣の処理を行う紙幣認識装置を外扉内部に備えた自動販売機において、前記受付部内部には前記ＩＣカードと通信する通信部を備え、前記通信部と接続されるＩＣカードリーダライタは前記紙幣認識装置等の金銭授受装置と別体で形成され、前記通信部によって通信された金額情報は前記ＩＣカードリーダライタで記録再生処理されることを特徴とする自動販売機。
【請求項２】
受付部と、紙幣を投入する紙幣投入口は外扉に露出して配置した化粧パネルで一体成形され、前記受付部の下部に前記紙幣投入口が形成されていることを特徴とする請求項１に記載の自動販売機。
【請求項３】
化粧パネルの後方に紙幣認識装置を固定する板金部材を外扉に備え、前記板金部材に前記紙幣認識装置と併設してＩＣカードリーダライタを固定したことを特徴とする請求項１または２に記載の自動販売機。
【請求項４】
ＩＣカードをかざす受付面には、前記ＩＣカードとＩＣカードリーダライタとの通信状況を示す表示部が形成されていることを特徴とする請求項１または２に記載の自動販売機。
【発明の詳細な説明】
【技術分野】
【０００１】
本発明は、自動販売機における金銭授受装置に関するものである。
【背景技術】
【０００２】
従来の自動販売機における金銭授受装置には、紙幣とＩＣカードとを共に受付可能で、かつ、ＩＣカードへ積み増し可能な金銭授受装置について開示している、例えば、特許文献１がある。
【０００３】
図４は、特許文献１に記載された従来の自動販売機の金銭授受装置を示すものである。図４に示すように、紙幣認識装置２０とＩＣカードリーダライタ２１とを一体化し、双方を電気的に接続する。これにより、自動販売機における商品購入時に、紙幣とＩＣカードとを共に受け付けることができる。さらに、紙幣認識装置２０とＩＣカードリーダライタ２１とを電気的に接続することにより、自動販売機でＩＣカードを有する金額情報を投入された紙幣の金額分だけ積み増しすることが可能になる。また金銭授受装置１を従来の紙幣認識装置と同等の大きさにすることにより、すでに自動販売機に搭載されている紙幣認識装置との置き換えが可能になる。
【特許文献１】特開２００３−５１０５５号公報
【発明の開示】
【発明が解決しようとする課題】
【０００４】
しかしながら、上記従来の構成では、たとえば既存の自動販売機にすでに金銭授受装置が搭載されていて、後付けでＩＣカードを扱うＩＣカードリーダライタを付加する場合、ＩＣカードの積み増しを行うために、金銭授受装置の紙幣認識装置の配置を変え、できた空間に新たにＩＣカードリーダライタを配置していたので、既存の金銭授受装置を一旦取り外して、構成部品の配置を変えた新たな金銭授受装置に置き換えて組み込んでいるので、既存の自動販売機をＩＣカード対応型にするのに、新たな金銭授受装置に載せかえるので、非常に作業性が困難であり、またさらなるコストアップになるという課題を有していた。
【０００５】
本発明は、上記従来の課題を解決するもので、既存の自動販売機を簡単にＩＣカード対応型自動販売機として設定できることを目的としている。
【課題を解決するための手段】
【０００６】
上記従来の課題を解決するために、本発明の自動販売機の金銭授受装置は、外扉に露出して金額情報が記録されたＩＣカードによる金銭授受を行う金銭授受装置を備えた自動販売機であって、ＩＣカードと通信する通信部を化粧パネルの操作部に配置し、通信部によって通信された金額情報を処理するＩＣカードリーダライタを外扉板金内部で紙幣認識装置等の金銭処理装置とは別体で配置することで、既存の自動販売機にＩＣカードによる授受装置のみを追加したものである。
【発明の効果】
【０００７】
本発明の自動販売機の金銭授受装置は、既存の移動販売機をＩＣカード対応型自動販売機に簡単に変更することができる。
【発明を実施するための最良の形態】
【０００８】
請求項１に記載の発明は、外扉に露出して金額情報が記録されたＩＣカードをかざすことで金銭授受を行う受付部と、投入される紙幣の処理を行う紙幣認識装置を外扉内部に備えた自動販売機において、前記受付部内部には前記ＩＣカードと通信する通信部を備え、前記通信部と接続されるＩＣカードリーダライタは前記紙幣認識装置等の金銭授受装置と別体で形成され、前記通信部によって通信された金額情報は前記ＩＣカードリーダライタで記録再生処理されることにより、既存の紙幣認識装置はそのままで、ＩＣカードリーダライタを別体に取り付けることでコストアップを低減し、既存の自動販売機を簡単作業でリニューアルすることができ、購買意欲を高めることができる。
【０００９】
請求項２に記載の発明は、請求項１に記載の発明にさらに、受付部と、紙幣を投入する紙幣投入口は外扉に露出して配置した化粧パネルで一体成形され、前記受付部の下部に前記紙幣投入口が形成されているもので、既存の自動販売機の紙幣投入部周辺パネルを化粧パネルに取り換えるだけで、ＩＣカード対応の自動販売機として一新することができる。
【００１０】
請求項３に記載の発明は、請求項１または２に記載の発明に、化粧パネルの後方に紙幣認識装置を固定する板金部材を外扉に備え、前記板金部材に前記紙幣認識装置と併設してＩＣカードリーダライタを固定したことで、防盗性を高めることができる。
【００１１】
請求項４に記載の発明は、請求項１または２に記載の発明に、ＩＣカードをかざす受付面には、前記ＩＣカードとＩＣカードリーダライタとの通信状況を示す表示部が形成され、利用者に通信状況を知らせることができる。
【００１２】
（実施の形態１）
以下、本発明の実施の形態１を図面を参照して説明する。図１は本発明の実施の形態１に係わる金銭授受装置を搭載した自動販売機の側面図である。図２（ａ），（ｂ）は同実施の形態の自動販売機の要部断面図である。図３は同実施の形態の自動販売機の受付部の正面図である。自動販売機本体１はその正面に商品選択ボタン２を備える自動販売機の外扉３を有し、この外扉３にＩＣカード４をかざした時にデータを受け付ける受付部５を備え、受付部５の下方に紙幣を投入する紙幣投入口６を備え、受付部５と紙幣投入口６は樹脂製の化粧パネル８で一体に形成されている。
【００１３】
そして図２（ａ）のように、紙幣投入口６の前面には雨水やごみ等が侵入するのを防止するためにフラップ１３が開閉自在に備えられ、そのフラップ１３と紙幣を投入する投入口は樹脂製の枠部材１４で形成されている既存の自動販売機の構成に対して、これらのフラップ１３と枠部材１４を取り外して化粧パネル８に取り換えることで簡単に図２（ｂ）のようにＩＣカード４または紙幣で商品購入可能な自動販売機を形成することができる。また受付部５の表面にはＩＣカード４をかざして交信した時に、ＩＣカード４に情報を記録再生処理できたかどうかを使用者に知らせる表示部５ａを備えている。受付部５内にはかざされたＩＣカード４と通信する通信部７が備えられている。通信部７にはアンテナ基板が内蔵されておりＩＣカード４と通信することでＩＣカード４に情報を記録再生処理する。また化粧パネル８は外扉３の表面に露出して配置されている。
【００１４】
また紙幣投入口６に投入された紙幣を認識する紙幣認識装置９は化粧パネル８との間に板金部材１０を介して外扉３の内側に固定されている。そして通信部７で受付けたＩＣカード４の情報はアンテナ配線１１に接続されたＩＣカードリーダライタ１２で記録再生処理される。
【００１５】
ＩＣカードリーダライタ１２は紙幣認識装置９とは別体で、紙幣認識装置の近傍に構成し、板金部材１０に固定されている。
【００１６】
また紙幣認識装置９は紙幣を取り扱うことから、防犯のために板金部材１０には紙幣の挿入に必要な大きさの開口部１０ａを設けている。
【００１７】
以上の構成において既存の自動販売機をＩＣカード対応型自動販売機に変更するときの動作について説明する。
【００１８】
まず外扉３を開放し、外扉の内側から板金部材１０を取り外す。板金部材１０には紙幣認識装置９が固定されたまま一旦取り外される。そして枠部材１４を外扉３内部から外して、化粧パネル８に付け替える。そして一旦取り外していた板金部材１０を同位置に固定するので板金部材１０の開口部１０ａをそのまま兼用でき、板金部材１０に新たに紙幣認識装置９と連通する孔を開口する必要がない。そして板金部材１０のスペースにＩＣカードリーダライタ１２を固定し、アンテナ配線１１を接続することで、簡単にＩＣカード対応型自動販売機に変更可能にすることができる。よって従来の紙幣認識装置９のままで、新たに金銭処理装置などを追加せず、ＩＣカードリーダライタ１２のみを追加するだけなので、コストアップを抑え、簡単作業で変更することができる。
【００１９】
次に上記構成における商品購入時の動作原理について説明する。
【００２０】
まず、紙幣による商品購入時の動作原理について説明する。
【００２１】
紙幣投入口６の開口部に紙幣が投入され紙幣認識装置９内に導かれて、その紙幣の真偽が判定され真札と判定され場合、商品選択ボタン２を点灯させ、利用者が商品選択ボタン２を押すと押された商品選択ボタン２に対応する商品を搬出し必要に応じて、つり銭を出金して販売を終了する。
【００２２】
次に、ＩＣカード４による商品購入時の動作処理について説明する。
【００２３】
最初に利用者が商品選択ボタン２の中から、購入しようとする商品の商品選択ボタンを選んで押すと、押された商品の商品選択ボタン２が点灯する。図３のようにＩＣカード４が受付部５にかざされ表示部５ａに［ＯＫ］表示が点灯すると、情報の記録再生処理が完了したことを示し、具体的には、通信部７は受信した信号をアンテナ配線１１を介してＩＣカードリーダライタ１２で記録再生処理され、選択された商品金額とから、そのＩＣカード４に記録されている金額情報の減算を行い最新の金額情報がＩＣカード４に書き込まれ、選択された商品を搬出し販売を終了する。表示部５ａに「ＮＧ」表示が点灯した場合は、ＩＣカード内の情報の記録再生処理がＩＣカードリーダライタ１２との間で正常に行われず、選択商品は搬出されないことになる。
【００２４】
以上説明したように、本形態の自動販売機において、従来の紙幣認識装置９を変更することなく、ＩＣカードリーダライタ１２と化粧パネル８のみを追加搭載するだけでＩＣカード対応の自動販売機に簡単にリニューアルできるので、利用者への購買意欲を高めることができる。
【産業上の利用可能性】
【００２５】
本発明にかかる自動販売機は、既存の移動販売機をＩＣカード対応型自動販売機に簡単に変更することができるので、多種多様な販売機器の非接触端末として適用可能である。
【図面の簡単な説明】
【００２６】
【図１】本発明の実施の形態１における自動販売機の側面図
【図２】（ａ）同実施の形態の自動販売機の金銭授受装置周辺の取り付け前の断面図（ｂ）同実施の形態の自動販売機の金銭授受装置周辺の取り付け後の断面図
【図３】同実施の形態の自動販売機の受付部の正面図
【図４】従来の自動販売機の金銭授受装置の断面図
【符号の説明】
【００２７】
１    自動販売機本体
２    商品選択ボタン
３    外扉
４    ＩＣカード
５    受付部
５ａ  表示部
６    紙幣投入口
７    通信部
８    化粧パネル
９    紙幣認識装置
１０  板金部材
１１  アンテナ配線
１２  ＩＣカードリーダライタ
【図１】
2007188204.tif 000003
【図２】
2007188204.tif 000004
【図３】
2007188204.tif 000005
【図４】
2007188204.tif 000006